(57)【要約】【課題】排稈搬送体から切断装置に供給される排稈を案内片によって切断部に案内すると共に、持ち回しされる切り藁等を案内片によって、スペーサとの間に形成した戻し間隙からスムースに排出落下をさせる排稈の切断装置を提供する。【解決手段】排稈搬送体１７の下方に設けた上手側カッター２２と下手側カッター２３の切断部２５に、排稈を供給して稈身方向に細断するディスク方式の切断装置９であって、前記下手側カッター２３の上方から切断部２５に向けて、弾性力を有して排稈を案内する舌片状の案内片３６を下手側カッター２３の相隣なる切断刃３３間に設けたスペーサ３０の上に臨ませると共に、上記案内片３６の先端をスペーサ３０に対し切り藁の戻し間隙Ｈを有して揺動自在に設けた構成にしている。【選択図】        図４
2004222644.tif 000002
【特許請求の範囲】
【請求項１】
排稈搬送体（１７）の下方に設けた上手側カッター（２２）と下手側カッター（２３）の切断部（２５）に、排稈を供給して稈身方向に細断するディスク方式の切断装置（９）において、前記下手側カッター（２３）の上方から切断部（２５）に向けて、弾性力を有して排稈を案内する舌片状の案内片（３６）を下手側カッター（２３）の相隣なる切断刃（３３）の間に設けたスペーサ（３０）上に臨ませると共に、上記案内片（３６）の先端をスペーサ（３０）に対し切り藁の戻し間隙（Ｈ）を有して揺動自在に設けたことを特徴とする排稈の切断装置。
【請求項２】
排稈搬送体（１７）を脱穀機３の４番漏斗（８）と切断装置（９）に渡って設け、４番漏斗（８）の側方に切断装置（９）を設けた請求項１記載の排稈の切断装置。
【発明の詳細な説明】
【０００１】
【発明の属する技術分野】
本発明は、コンバインやハーベスタ等収穫機の排稈搬送体に設けられる切断装置に関する。
【０００２】
【従来の技術】
一般に、コンバインやハーベスタ等の収穫機は、排稈搬送体の下方に排稈搬送方向の上手側と下手側に配置した、上手側カッターと下手側カッターを互いに内向き回転させ、切断部に供給される排稈を稈身方向に細断するディスク方式の切断装置が設けられる。
従来、上記のような切断装置は、切断された切り藁が切断刃の間で持ち回しされる切り藁（以下持ち回り切り藁と言う）や、スペーサの表面に濡れて付着したまま持ち回しされる藁屑類を、相隣なる切断刃の間に介挿した筒状のスペーサにスクレーパの下端を接触させることにより、該スクレーパで強制的に掻き落とす構成となっている（例えば、特許文献１参照。）。
【０００３】
【特許文献１】
特開平７−２５５２６５号公報（第３頁、第４図）
【０００４】
【発明が解決しようとする課題】
上記公報で示されるような構成の排稈の切断装置は、上方から垂設したスクレーパの下端をスペーサ外周面の下側に接触させているので、切り藁並びに屑類がスクレーパの先端に引っ掛かり易い欠点があると共に、一旦引っ掛かった切り藁等は切断刃及びスペーサの回転によっても外れずに、引っ掛かり量が次第に大きくなって詰まりをきたし、スクレーパの変形や切断不良を発生し易くする。
また、スクレーパによる掻き落としが不十分になって切断部側に持ち回しされる切り藁等は上方に向けて飛散し、ハーベスタでは脱穀機の４番漏斗内に入り込む等の欠点がある。また、切断装置に供給搬送中の排稈に飛散付着した持ち回り切り藁は、切断部に再び送られて２度切りされる等の問題もある。
【０００５】
【課題を解決するための手段】
上記課題を解決するために本発明の排稈の切断装置は、第１に、排稈搬送体１７の下方に設けた上手側カッター２２と下手側カッター２３の切断部２５に、排稈を供給して稈身方向に細断するディスク方式の切断装置９において、前記下手側カッター２３の上方から切断部２５に向けて、弾性力を有して排稈を案内する舌片状の案内片３６を下手側カッター２３の相隣なる切断刃３３間に設けたスペーサ３０の上に臨ませると共に、上記案内片３６の先端をスペーサ３０に対し切り藁の戻し間隙Ｈを有して揺動自在に設けたことを特徴としている。
【０００６】
第２に、排稈搬送体１７を脱穀機３の４番漏斗８と切断装置９に渡って設け、４番漏斗８の側方に切断装置９を設けたことを特徴としている。
【０００７】
【発明の実施の形態】
本発明の一実施形態を図面に基づいて説明する。図１，図２において符号１は、クローラ式の走行装置２ａを有する機台２に脱穀機３を載置したハーベスタである。このハーベスタ１の脱穀機３は、扱胴４を軸支した扱室５の左右に供給口５ａと排稈口（４番口）６を形成し、供給口５ａの側方に穀稈を載置して供給する供給台７を設け、一方排稈口６の外側に漏斗状の４番漏斗８を形成し、該４番漏斗８の外側にディスクカッタ方式の切断装置９を近接させて装着している。
【０００８】
脱穀機３は、扱室５の後部で穀稈を横送り挟持搬送するフィードチェン１０を扱口に沿って設け、且つ扱胴４に沿って張設した受網５ｂの下方で、図示しない送風ファン或いは排塵ファンで形成される選別風路中に、揺動選別体１１を設置し受網５ｂから濾過する脱穀物を選別する。尚、扱室５から４番漏斗８に至った穀粒や刺さり粒を藁屑中に含む夾雑物は、受網５ｂと４番漏斗８の間で形成される戻し間隙Ｈから揺動選別体１１に回収されて再選別される。
【０００９】
また、脱穀機３の後部にはエンジン１２と操縦部１３を配置し、操縦部１３の右方には脱穀選別された穀粒を回収する穀粒回収部１５を設けている。
上記のように構成されるハーベスタ１は、供給台７に載置された穀稈を供給口５ａからフィードチェン１０を介して扱室５内に供給し扱胴４で脱穀すると共に、脱穀済の排稈をフィードチェン１０の終端部に設けた排稈搬送体１７で切断装置９に搬送し、稈身方向に切断された排稈を地上に向けて下方に排出する。
【００１０】
このハーベスタ１の切断装置９は、箱枠状に形成されるカッター機枠１９を機台２及び脱穀機３側から延設した複数のステー２０によって取付支持する。そして、前後の側壁２１，２１の左右に、排稈の搬送方向上手側と搬送方向下手側とで一対となる回転歯体としての、上手側カッター２２と下手側カッター２３を互いに内向き回転可能に軸支している。
また、下手側カッター２３は上手側カッター２２に対しやや高い位置に軸支した状態で齟齬させ、両者を後述する構成によって互いに内向き回転させて切断部２５を形成している。そして、切断部２５を排稈搬送体１７の下方で該排稈搬送体１７に対設した排稈挟持レール２６の下方に位置させて設置し、下手側カッター２３の上方側から、切断された切り藁と供給される排稈を誘導する切藁案内部材２７を後述する構成によって設けている。
【００１１】
図３で示すように、上手側カッター２２はカッター軸２８に筒状のスペーサ３０を介し複数の受歯３１と受輪３２を嵌挿し、且つ下手側カッター２３はカッター軸２９に上記のものと同様なスペーサ３０を介し複数の切断刃３３を嵌挿軸支し、各受歯３１と受輪３２の間に切断刃３３を隣接させて齟齬することにより前記切断部２５を形成している。
切藁案内部材２７は、その基部を下手側カッター２３の上方でやや右方（下手側）位置において、カッター機枠１９に複数の取付ボルト３４によって取付支持され、基部側から上手側下方に向けて切断刃３３を入り込ませて突出させるスリット部３５を設け、これにより舌片状に形成される案内片３６を各切断刃３３の間に設置している。
【００１２】
また同図で示すように、切藁案内部材２７の案内片３６は、カッター機枠１９の取付部から切断部２５に向けて、自身が有する弾性力と自重によって側面視で下向きの湾曲状に傾斜した形状で臨ませ、その先端部を下手側カッター２３のスペーサ３０から浮き上がらせた状態で離間して設けている。
これにより、案内片３６の裏側とスペーサ３０との間に、下手側カッター２３によって持ち回しされる切り藁や塵埃等を切断部２５の内側下方に向けて排出案内する戻し間隙Ｈを形成すると共に、案内片３６の先端部は戻し間隙Ｈを維持するように揺動自在に支持される。
【００１３】
この実施形態において切藁案内部材２７は、例えばポリウレタン等の合成樹脂によって成形した、耐磨耗性及び弾性力を備え機械的強度に優れた板状部材を用いることにより、切り藁の排出案内をスムースに行うと共に、切断加工等によって簡単に構成できるようにしているが、これに限定することなく弾性力を有する金属板等によっても形成することができる。
【００１４】
また、切断装置９の伝動は上手側カッター２２のカッター軸２８に設けた入力プーリ５０を、エンジン９側から伝動される伝動ケース５１の駆動プーリ５２からベルト５３によって伝動し、且つカッター軸２８に設けたギヤ５５とカッター軸２９に設けたギヤ５６を噛合させ、上手側カッター２２と下手側カッター２３を互いに内向き回転駆動するようにしている。
また、排稈搬送体１７は株元側を挟持搬送する株元側排稈搬送体５７と、排稈口６から排出される穂先側排稈搬送体５９とからなり、それぞれの搬送面に従来のものと同様な構成によって株元側挟持レール２６と穂先側挟持レール６０を対設している。
【００１５】
そして、株元側挟持レール２６の終端部と切断装置９との間には、基部側をカッター機枠１９に回動自在に枢支された排稈切り換えレール６１を設けている。この、排稈切り換えレール６１は、実線で示す上方回動姿勢において挟持レール２６の終端と離間して排稈を切断部２５に供給することができ、また排稈切り換えレール６１を下方回動し株元側挟持レール２６と接続したときは、排稈を切断装置９に供給しないで上方を通過させ、長い藁のまま機外に搬送排出する。
【００１６】
以上のように構成したハーベスタ１は、排稈切り換えレール６１を上方回動姿勢に切り換えた状態で、穀稈をフィードチェン１０を介し扱室５に供給し脱穀すると、排稈はフィードチェン１０から排稈搬送体１７に継送搬送され、排稈口６から排出されて切断装置９内に供給される。切断装置９に供給された排稈は、上手側カッター２２と下手側カッター２３で形成される切断部２５によって稈身方向に細断され、細断された切り藁は相対向するスペーサ３０，３０の間で形成される通路から下方に排出落下する。
【００１７】
このとき、切断装置９は弾性力を有する舌片状の案内片３６を、下手側カッター２３の上方から相隣なる切断刃３３の間に設けたスペーサ３０に対し、切り藁の戻し間隙Ｈを有して揺動自在に設けているので、切断された切り藁が相隣なる切断刃３３，３３の間で、ブリッジ状となって支持され持ち回しされる持ち回り切り藁が案内片３６に接当すると、案内片３６は持ち回り切り藁を上方から叩き落とすように接触し、持ち回り切り藁のブリッジ状態を解消しながら、案内片３６とスペーサ３０の間で形成される戻し間隙Ｈから下方に落下させる。
【００１８】
また、下手側カッター２３の回転で上方に飛び出そうとする埃や屑類は、飛散される持ち回り切り藁と同様に、案内片３６の裏側に沿って案内され戻し間隙Ｈから下方に排出されるので、従来のもののように切り藁や屑類が飛散して４番漏斗８内に入り込んだり、操縦部１３側に飛散する等の欠点を防止することができる。また、排稈搬送体１７によって切断装置９側に送給搬送される排稈に対し、持ち回り切り藁が飛散付着することもないから、切断部２５で持ち回り切り藁の２度切りも防止され切断負荷の増大を抑制することができる。
【００１９】
そして、排稈搬送体１７側から多量の排稈や大束な排稈が送給され案内片３６に乗ったとき、図４の点線で示すように、案内片３６は自身が有する弾性力と可撓性によって、先端が揺動しスペーサ３０に接触支持された状態で下方に撓むので、多量な排稈の切断部２５側への供給を妨げることなく、また弾性力による復元で排稈の切断部２５側への供給を円滑に行うことができる。
【００２０】
従って、案内片３６を備えて切り藁及び屑類の持ち回りや飛散等を防止する切断装置９は、実施形態で示すようなハーベスタ用の脱穀機３が備える４番漏斗８の側方にできるだけ近接させた状態で設置することができると共に、排稈搬送体１７の下方に切断装置９を大きく離間させることなく近接することもできるから、ハーベスタ１の小型化を図ることができる。
尚、上記のように構成した切断装置９は、ハーベスタ用の脱穀機３に限定することなく、コンバイン用の脱穀機の後部に設置される排稈搬送体に対しても装着することができる。
【００２１】
【発明の効果】本発明は以上のように排稈の切断装置を構成したので、次のような効果を奏する。
排稈搬送体から切断装置に供給される排稈を、案内片によって上手側カッターと下手側カッターで形成される切断部に案内すると共に、下手側カッターの切断刃間で持ち回しされる切り藁等を、弾性力を有する案内片の裏側でスペーサとの間に形成した戻し間隙から、下方に向けてスムースに排出落下をさせると共に、切り藁等の上方側への飛散を防止することができる。
【００２２】
排稈搬送体の下方で４番漏斗の側方に、切り藁等の上方側への飛散を防止した切断装置を設けたことにより、４番漏斗内への切り藁等の入り込みを防止した排稈の細断を行うことができる。また、４番漏斗側に切断装置をより近接させることもでき、ハーベスタの小型化を図ることができる。
【図面の簡単な説明】
【図１】本発明に係わる切断装置を備えたハーベスタの構成を示す正断面図である。
【図２】図１の要部の構成を一部破断をして示す平面図である。
【図３】切断装置の上手側カッターと下手側カッター及び案内片の要部の構成を示す平断面図である。
【図４】図４の側断面図である。
【符号の説明】
１    ハーベスタ
３    脱穀機
５    扱室
８    ４番漏斗
９    切断装置
１７    排稈搬送体
２２    上手側カッター
２３    下手側カッター
２５    切断部
２７    切藁案内部材
３０    スペーサ
３６    案内片
Ｈ    間隙
【図１】
2004222644.tif 000003
【図２】
2004222644.tif 000004
【図３】
2004222644.tif 000005
【図４】
2004222644.tif 000006